(57)【要約】【課題】  鍵孔に挿入した合鍵を回動させなくても操作できる施解錠機構の構成を簡単にする。【解決手段】  案内ブロック５を介して扉の外面に装着され、鍵孔を案内ブロックの外面に露呈させた状態で内筒内端を錠箱のデッドボルト操作機構に連係させたシリンダ錠と、案内ブロック６の外面に沿って上下方向に摺動可能に案内され、合鍵の本体部と遊嵌できる縦長の開口を形成すると共に、この開口の内側に、シリンダ錠のキーガイド９に装着されたピニオン１２と噛み合うラック１２を形成したスライダ１４と、上昇し、或いは下降したスライダ１４を常態位置に復帰させるストッパ１６、１７を設ける。【選択図】  図６
2007040048.tif 000002
【特許請求の範囲】
【請求項１】
案内ブロックに担持され、鍵孔を開口させたキーガイドを案内ブロックの外面に突出させた状態で、案内ブロックを介して扉の外面に装着されると共に、内筒内端のテールピースを錠箱のデッドボルト操作機構に連係させたシリンダ錠と、このシリンダ錠の案内ブロックの外面から突出したキーガイドに同軸かつ一体的に装着されたピニオンと、案内ブロックの外面に沿って上下方向に摺動可能に案内され、表面に縦長の開口を形成すると共に、この開口の内側に上記ピニオンと噛み合うラックを形成したスライダとを有することを特徴とする施解錠機構。
【請求項２】
案内ブロックに担持され、鍵孔を開口させたキーガイドを案内ブロックの外面に突出させた状態で、案内ブロックを介して扉の外面に装着されると共に、内筒内端のテールピースを錠箱のデッドボルト操作機構に連係させたシリンダ錠と、このシリンダ錠の案内ブロックの外面から突出したキーガイドに同軸かつ一体的に装着されたピニオンと、案内ブロックの外面に沿って上下方向に摺動可能に案内され、表面に縦長の開口を形成すると共に、この開口の内側に上記ピニオンと噛み合うラックを形成したスライダとを有し、扉の外面とスライダの裏面との間に、夫々上下方向に移動可能に案内されると共に上方又は下方に付勢され、スライダの裏面側に形成された上端又は下端の係合部に係合可能に臨む第１及び第２ストッパを設け、外力が作用しない常態において、ストッパの上端又は下端が所定の位置を保つように規定されたことを特徴とする施解錠機構。
【請求項３】
案内ブロックに担持され、鍵孔を開口させたキーガイドを案内ブロックの外面に突出させた状態で、案内ブロックを介して扉の外面に装着されると共に、内筒内端のテールピースを錠箱のデッドボルト操作機構に連係させたシリンダ錠と、このシリンダ錠の案内ブロックの外面から突出したキーガイドに同軸かつ一体的に装着されたピニオンと、案内ブロックの外面に沿って上下方向に摺動可能に案内され、表面に縦長の開口を形成すると共に、この開口の内側に上記ピニオンと噛み合うラックを形成したスライダとを有し、スライダと案内ブロックとの摺動面を跨いで、上下方向に延在するばね収納洞を形成し、このばね収納洞にばね部材を弾装したことを特徴とする施解錠機構。
【発明の詳細な説明】
【技術分野】
【０００１】
この発明は、新規な施解錠機構（以下単に施解錠機構という）に係り、特に、手が不自由で、シリンダ錠の鍵孔に差し込んだ合鍵を回せない人でも施解錠が可能な施解錠機構に関する。
【背景技術】
【０００２】
周知のように、扉や引戸、或いはロッカーの扉を開けるときには、装着されたシリンダ錠の内筒に合鍵を差し込んで、その合鍵と共にシリンダ錠の内筒を所定の方向に所定の角度回すことが必要である。
【０００３】
それは、従来からの施解錠機構は、例えば扉を扉枠に錠止し或いは係止するデッドボルトやラッチボルトを、回転する内筒の内端に装着したテールピースや所謂ダルマカムを介して錠箱から出し入れするように構成されているからである。
【０００４】
しかしながら、手が不自由で、合鍵をシリンダ錠の鍵孔に差し込むことはできても、これを回せない（腕を捩ることができない）人は大勢居り、このように手が不自由な人にとって、従来の施解錠機構を備えた錠前は使用できない、という不都合がある。
【０００５】
そこで、本出願人は、先に、後記特許文献１乃至３を以て、合鍵を回さなくてもデッドボルトを制御できる新規な施解錠機構を提案した。
【特許文献１】特願２００５−０４０８２９
【特許文献２】特願２００５−０４８６１６
【特許文献３】特願２００５−１７５６０９
【発明の開示】
【発明が解決しようとする課題】
【０００６】
上記特許文献１乃至３を以て提案された施解錠機構は、外側スライダに担持されたシリンダ錠の鍵孔に合鍵を挿し込み、合鍵を回さずにこれをその侭上げ下げするものである。
【０００７】
上記施解錠機構は、勿論所期の機能を発揮し、腕を捩ることができない人でも錠前の施解錠操作が簡単にできるようになったが、合鍵と共にシリンダ錠自体を移動させるため、機構が複雑にならざるを得ない、等未だ改良の余地がある。
【０００８】
そこで、この発明は、腕を捩ることができない人でも錠前の施解錠操作が可能であり、しかも構造が簡単な施解錠機構を提供することを目的としている。
【課題を解決するための手段】
【０００９】
上記の目的を達成するため、請求項１に記載の発明は、案内ブロックに担持され、鍵孔を開口させたキーガイドを案内ブロックの外面に突出させた状態で、案内ブロックを介して扉の外面に装着されると共に、内筒内端のテールピースを錠箱のデッドボルト操作機構に連係させたシリンダ錠と、このシリンダ錠の案内ブロックの外面から突出したキーガイドに同軸かつ一体的に装着されたピニオンと、案内ブロックの外面に沿って上下方向に摺動可能に案内され、表面に縦長の開口を形成すると共に、この開口の内側に上記ピニオンと噛み合うラックを形成したスライダとを有することを特徴とする。
【００１０】
また、請求項２に記載の発明は、案内ブロックに担持され、鍵孔を開口させたキーガイドを案内ブロックの外面に突出させた状態で、案内ブロックを介して扉の外面に装着されると共に、内筒内端のテールピースを錠箱のデッドボルト操作機構に連係させたシリンダ錠と、このシリンダ錠の案内ブロックの外面から突出したキーガイドに同軸かつ一体的に装着されたピニオンと、案内ブロックの外面に沿って上下方向に摺動可能に案内され、表面に縦長の開口を形成すると共に、この開口の内側に上記ピニオンと噛み合うラックを形成したスライダとを有し、扉の外面とスライダの裏面との間に、夫々上下方向に移動可能に案内されると共に上方又は下方に付勢され、スライダの裏面側に形成された上端又は下端の係合部に係合可能に臨む第１及び第２ストッパを設け、外力が作用しない常態において、ストッパの上端又は下端が所定の位置を保つように規定されたことを特徴とする。
【００１１】
更にまた、請求項３に記載の発明は、案内ブロックに担持され、鍵孔を開口させたキーガイドを案内ブロックの外面に突出させた状態で、案内ブロックを介して扉の外面に装着されると共に、内筒内端のテールピースを錠箱のデッドボルト操作機構に連係させたシリンダ錠と、このシリンダ錠の案内ブロックの外面から突出したキーガイドに同軸かつ一体的に装着されたピニオンと、案内ブロックの外面に沿って上下方向に摺動可能に案内され、表面に縦長の開口を形成すると共に、この開口の内側に上記ピニオンと噛み合うラックを形成したスライダとを有し、スライダと案内ブロックとの摺動面を跨いで、上下方向に延在するばね収納洞を形成し、このばね収納洞にばね部材を弾装したことを特徴とする。
【発明の効果】
【００１２】
上記のように構成された請求項１乃至３に記載の発明による施解錠機構は、シリンダ錠の内筒のキーガイドにピニオンを一体的に装着し、このピニオンをスライダの開口端縁に形成したラックと噛み合わせるようにしたので、合鍵をシリンダ錠の鍵孔に挿入し、スライダを上下動させるだけで施解錠が可能になり、したがって施解錠機構の構成が非常に簡単になる、という所期の効果を奏する。
【００１３】
また、請求項２又は請求項３に記載の発明によれば、内筒が所定の角度位置になるように駆動されるから、施解錠操作後スライダから手を離せば、シリンダ錠は合鍵の抜き挿しが可能な角度位置に自動的に復帰できる、という別の効果を奏する。
【発明を実施するための最良の形態】
【００１４】
シリンダ錠の内筒のキーガイドにピニオンを一体的に装着し、これをスライダに形成されたラックと噛み合わせるようにしたので、簡単な機構で、腕を捩らなくてもデッドボルトを出し入れできる施解錠機構を構成することができた。
【実施例１】
【００１５】
以下、この発明の一実施例を図面を参照して説明する。
なお、説明の都合上、ここでは請求項２に記載の発明について説明する。
【００１６】
図１乃至図５において符号１は案内ブロックを示し、図示の実施例における案内ブロック１は、室内側からねじで扉２の外面（図１及び２で左側の面）に呼び付けられるように固定されるフランジ３付の第１ブロック４と、この第１ブロックの外面にねじで呼び付けられるように固定される袖部材５（図１、図３乃至５参照）付の第２ブロック６（図２参照）とから構成されている。
【００１７】
上記第１及び第２ブロック６の外面及び内面に形成された、断面円形で付番しない二つの凹陥部が形成する空間内に、シリンダ錠７（図１及び図２参照）が収納されている。
【００１８】
ちなみに、シリンダ錠として、ピンタンブラー錠、磁石タンブラー錠、ディスクタンブラー錠或いはレバータンブラー錠等、あらゆる形式のシリンダ錠を採用することができる。
【００１９】
また、シリンダ錠７の鍵孔８（図３参照）を開口させたキーガイド９は、図６に示すように、第２ブロック６の外面中央に形成された円形の凹陥部１１内に突在しており、このキーガイド９の外周面にピニオン１２が例えば圧入等の結合手段により嵌着されている。
【００２０】
なお、図１、図２及び図  においては、図面を明瞭にするため、これら凹陥部１１及びピニオンについては図示を省略してある。
【００２１】
また、図２に示すように、シリンダ錠の内筒は錠箱１３内のデッドボルト等の錠止部材の操作機構に連結されている。これら錠止部材の操作機構とシリンダ錠内筒との連係の態様は、本出願人の先の出願に係る特願２００４−１１５１１８の明細書に詳細に記載されているし、また、本願の要旨と関係がないので、更に詳細な説明は省略する。
【００２２】
一方、図１乃至図５に示すように、大体の形状が縦長の柱状体であるスライダ１４が、前記案内ブロック１の外面に沿って上下方向に摺動可能に支持、案内されている。
【００２３】
図示の実施例におけるスライダ１４は、図２及び図６に示すように、裏面側が断面細長の小判形に肉を盗まれており、また、図２に示すように、この発明の必須の構成ではないがスライダ１４の外面上下に摘みとなる突出部が形成されている。
【００２４】
更にまた、図３に示すように、スライダ１４の中央部には縦長の開口１５が形成されており、図３に示すように、この開口１５を通してシリンダ錠の鍵孔を臨みかつ合鍵を挿入することができる。
【００２５】
この開口１５の内側には、図５及び図６に示すように、上下方向に延在するラック１０が配設されており、このラック１０は前記ピニオン１２と噛み合い係合をしている。
【００２６】
なお、図３乃至図５及び図８においては、図面を明瞭にするため上記凹陥部１１及びピニオン１２の図示を省略している。
【００２７】
また、スライダ１４には、図１に示すように、袖部材５の開口端縁部内面に形成された付番しない段部と形状係合をするこれも付番しない段部が形成されており、これらの段部との係合により、スライダ１４は上下に移動可能に、かつ案内ブロック１から逸脱しないように案内されている。
【００２８】
他方、図２及び図６に示すように、扉の外面とスライダの裏面との間に、図示の実施例においては、スライダ１４の裏面側に形成された縦長の空洞部の第２ブロック６に関し上下の空間に、第１及び第２ストッパ１６、１７が夫々独立して上下方向に移動可能に配設されている。
【００２９】
図示の実施例におけるストッパ１６（１７）は、上端或いは下端に薄肉円筒の一部を一体に形成した細長い板状で、第２ブロック６の外面において上下方向に延在する浅いガイド溝１８（図２参照）に案内されている。
【００３０】
このストッパ１６（１７）の上端又は下端の曲率は、スライダ１４の空洞部の上下端のそれと同一に設定されており、また、第２ブロック側の端部は、後述するようにスライダ１４と共に上方又は下方に移動するときシリンダ錠のキーガイドと干渉しないように、半円形の切欠１９（図７参照）が形成されている。
【００３１】
更にまた、各ストッパ１６（１７）の上下端に突設されたバーリング部と第２ブロック６の上下に形成されたばね孔２１（図２参照）との間に圧縮コイルばねとしての戻しばね２２が弾装されており、この戻しばね２２の弾力により、ストッパ１６（１７）は第２ブロック６から離間する方向に付勢されている。
【００３２】
一方、ストッパ１６、１７に外力が作用しない常態においてその位置を規定するため、各ストッパの第２ブロック側の端部は室内側に曲げられており、この折曲げ部が上記ガイド溝に形成された段部と係合し（何れも図示せず）、このようにしてストッパ１６、１７は、常態では図２及び図５に示す位置に定座している。
【００３３】
なお、図１及び図２において符号２３は室内側のサムターンを示し、このサムターンを上下動させることにより、これと一体の室内側ラック２４を上下させ、この室内側ラックによりシリンダ錠の内筒に連結された室内側ピニオン２５（図２参照）を回動させてデッドボルトを制御する構造であるが、この部分はこの発明の要旨とは関係がないので更に詳細な説明は省略する。
【００３４】
上記のように構成された請求項２に記載の発明の一実施例による施解錠機構は、シリンダ錠の施錠時には図２及び図３に示すようにスライダ１４は中間位置、換言すればスライダ１４の中心がシリンダ錠の回動軸と整合する位置にある。
【００３５】
このときには、シリンダ錠７の内筒はタンブラーを介して外筒に拘束されているから、スライダ１４を上方又は下方に押動した場合、ラック１０がピニオン１２を回動させようとするが、内筒を介して外筒に拘束されたピニオンは回動せず、したがってスライダ１４は動かない。
【００３６】
一方、シリンダ錠の鍵孔に合鍵を挿入すると、シリンダ錠７は解錠されて内筒及びこれと一体のピニオン１２は外筒から自由になる。
【００３７】
この状態で、例えばデッドボルトを施錠するためスライダ１４を押上げると、スライダ１４は図７及び図８に示す位置にまで上昇し、ラック１０がピニオン１２及びこれと一体の内筒を図５において時計方向に回動させ、デッドボルトを錠箱から突出させる。したがって、手を捩ることができない人でも扉口の施解錠が可能となる。
【００３８】
その後スライダ１４から手を離すと、押し縮められた下方の戻しばね２２が伸張し、スライダ１４は図７及び図８に示す位置から図２及び図３に示す常態位置にまで復帰する。
【００３９】
図２及び図３に示す常態角度位置ではシリンダ錠の鍵孔から合鍵を抜くことができるので、合鍵を抜いて外出する。
【００４０】
扉口を解錠するには、上記したとは反対に、鍵孔８に合鍵を挿入した後スライダを下降させ、手を離してスライダを常態位置にまで戻して合鍵を抜き、入室後例えばサムターン２３を操作して再施錠する。
【実施例２】
【００４１】
上記した実施例２の発明による施解錠機構は、ストッパの作用によりスライダ１４が自動的に常態位置に復帰するように構成されている。
【００４２】
しかしながら、手動でスライダを常態位置に戻すようにすれば、ストッパを設ける必要がなく、したがって請求項１に記載の施解錠機構が成立する。
【実施例３】
【００４３】
また、シリンダ錠の施解錠操作後スライダを自動的に常態位置に復帰させる機構は図示の実施例のようなストッパによるものに限らず、前記特許文献３（特願２００５−１７５６０９の明細書及び図面の図１６及び図１８）に記載されているように、スライダと案内ブロックとの摺動面を跨いで、上下方向に延在するばね収納洞を形成し、このばね収納洞に例えば圧縮コイルばねなどのばね部材を弾装してもよい。
【図面の簡単な説明】
【００４４】
【図１】請求項２に記載の発明の一実施例による施解錠機構の一部断面平面図。
【図２】請求項２に記載の発明の一実施例による施解錠機構の一部断面側面図。
【図３】請求項２に記載の発明の一実施例による施解錠機構の正面図。
【図４】請求項２に記載の発明の一実施例による施解錠機構の側面図。
【図５】スライダの一部断面正面図で、スライダが常態位置にある場合を示す。
【図６】スライダの裏面図で、スライダが常態位置にある場合を示す。
【図７】図３と同様の正面図で、スライダが施錠のため上昇している場合を示す。
【図８】図２と同様の施解錠機構の一部断面側面図で、スライダが施錠のため上昇している場合を示す。
【符号の説明】
【００４５】
１  案内ブロック
２  扉
４  第１ブロック
５  袖部材
６  第２ブロック
７  シリンダ錠
８  鍵孔
９  キーガイド
１０  ラック
１１  凹陥部
１２  ピニオン
１３  錠箱
１４  スライダ
１５  開口
１６  第１ストッパ
１７  第２ストッパ
１８  ガイド溝
１９  切欠
２１  ばね孔
２２  戻しばね
２３  サムターン
【図１】
2007040048.tif 000003
【図２】
2007040048.tif 000004
【図３】
2007040048.tif 000005
【図４】
2007040048.tif 000006
【図５】
2007040048.tif 000007
【図６】
2007040048.tif 000008
【図７】
2007040048.tif 000009
【図８】
2007040048.tif 000010